(57)【要約】  本発明は、所定の設定情報により、所定の伝送特性を有する複数の伝送路を有する信号ケーブルを用いて第１の信号または第２の信号が供給される信号入力部と、前記第１の信号を伝送する伝送路を、前記複数の伝送路の少なくとも一部に設定する伝送路設定に応じて、前記複数の伝送路を用いて供給された信号の供給先を変更する伝送路制御部と、前記伝送路を用いて前記第１の信号を伝送する形式を示す伝送形式設定に応じて、前記伝送路を用いて供給された前記第１の信号から画像信号を生成する画像制御部と、所定の設定情報の変更に応じて、前記伝送路設定および前記伝送形式設定を変更する設定制御部と、を備える、画像表示装置である。
2019163007.tif 000002
【特許請求の範囲】
【請求項１】
所定の伝送特性を有する複数の伝送路を有する信号ケーブルを用いて第１の信号または第２の信号が供給される信号入力部と、
前記第１の信号を伝送する伝送路を、前記複数の伝送路の少なくとも一部に設定する伝送路設定に応じて、前記複数の伝送路を用いて供給された信号の供給先を変更する伝送路制御部と、
前記伝送路を用いて前記第１の信号を伝送する形式を示す伝送形式設定に応じて、前記伝送路を用いて供給された前記第１の信号から画像信号を生成する画像制御部と、
所定の設定情報の変更に応じて、前記伝送路設定および前記伝送形式設定を変更する設定制御部と、
を備える、画像表示装置。
【請求項２】
請求項１に記載の画像表示装置であって、
前記設定制御部は、少なくとも、前記伝送路設定および前記伝送形式設定を含む表示情報を変更した後、前記設定制御部は、前記信号入力部に接続されている前記信号ケーブルを介して、前記第１の信号を供給する画像送信装置に前記変更した表示情報を取得させる、画像表示装置。
【請求項３】
請求項１または請求項２に記載の画像表示装置であって、
前記設定制御部は、少なくとも、前記表示情報における前記伝送路設定および前記伝送形式設定を変更した後、前記設定制御部は、前記信号入力部に接続されている前記信号ケーブルを介して、前記第１の信号を供給する画像送信装置にコンフィグレーションを実行させる、画像表示装置。
【請求項４】
請求項１から請求項３のいずれか一項に記載の画像表示装置であって、
前記伝送形式設定は、１種類の画像を伝送する設定、または、複数の異なる画像を伝送する設定である、画像表示装置。
【請求項５】
請求項１から請求項４のいずれか一項に記載の画像表示装置であって、
前記伝送形式設定は、ディスプレイポートの信号を伝送させるインターフェース規格におけるシングルストリームまたはマルチストリームの設定である、画像表示装置。
【請求項６】
請求項１から請求項５のいずれか一項に記載の画像表示装置であって、
前記伝送路設定は、前記複数の伝送路のうち、どの伝送路を用いて前記第１の信号を伝送するかの設定である、画像表示装置。
【請求項７】
請求項１から請求項６のいずれか一項に記載の画像表示装置であって、
前記伝送路設定は、前記複数の伝送路のうち、前記第１の信号を伝送する伝送路の数、または、第１の信号以外の信号を伝送する伝送路の数を含む設定である、画像表示装置。
【請求項８】
請求項１から請求項７のいずれか一項に記載の画像表示装置であって、
前記伝送路設定は、少なくとも、前記伝送路の一部を用いて前記第１の信号を供給する第１の画像伝送路設定、または、前記伝送路の全部を用いて前記第１の信号を供給する第２の画像伝送路設定である、
【請求項９】
請求項１から請求項８のいずれか一項に記載の画像表示装置であって、
前記第１の伝送路設定はＵＳＢの規格におけるピンアサインメント−Ｄに対応する伝送路の設定であり、前記第２の伝送路設定はＵＳＢの規格におけるピンアサインメント−Ｃに対応する伝送路の設定である、画像表示装置。
【請求項１０】
請求項１から請求項９のいずれか一項に記載の画像表示装置であって、
前記設定情報が、前記伝送形式設定の情報である、画像表示装置。
【請求項１１】
請求項１から請求項１０のいずれか一項に記載の画像表示装置であって、
前記設定情報が、前記伝送路設定の情報である、画像表示装置。
【請求項１２】
請求項１から請求項１１のいずれか一項に記載の画像表示装置であって、
前記設定情報が、ＤｉｓｐｌａｙＰｏｒｔ−Ｏｕｔ端子におけるＨｏｔ−Ｐｌｕｇ−Ｄｅｔｅｃｔピンの電圧レベルである、画像表示装置。
【請求項１３】
請求項１から請求項１２のいずれか一項に記載の画像表示装置であって、
前記設定情報が、自身の後段にデイジーチェーン接続される他の画像表示装置への第１の信号の画像伝送速度が、前記他の画像表示装置が表示する画像信号を伝送できるか否かを示す画像伝送速度情報である、画像表示装置。
【請求項１４】
請求項１から請求項１３のいずれか一項に記載の画像表示装置であって、
前記伝送路制御部が、前記第１の信号における解像度情報と伝送速度情報とに基づき、画像を伝送する速度である画像伝送速度を算出し、当該画像伝送速度が設定されている伝送路設定で満足されるか否かにより前記画像伝送速度情報を生成する、画像表示装置。
【請求項１４】
信号入力部が、所定の伝送特性を有する複数の伝送路を有する信号ケーブルを用いて第１の信号または第２の信号が供給される信号入力過程と、
伝送路制御部が、前記第１の信号を伝送する伝送路を、前記複数の伝送路の少なくとも一部に設定する伝送路設定に応じて、前記複数の伝送路を用いて供給された信号の供給先を変更する伝送路制御過程と、
画像制御部が、前記伝送路を用いて前記第１の信号を伝送する形式を示す伝送形式設定に応じて、前記伝送路を用いて供給された前記第１の信号から画像信号を生成する画像制御過程と、
設定制御部が、所定の設定情報の変更に応じて、前記伝送路設定および前記伝送形式設定を変更する設定制御過程と、
を有する、画像表示方法。
【発明の詳細な説明】
【技術分野】
【０００１】
本発明は、ディスプレイ、プロジェクタなどの画像を表示する画像表示装置および画像表示方法に関する。
【背景技術】
【０００２】
現在のコンピュータプラットフォームアーキテクチャ設計は、１つの装置を他の装置に接続する多くの異なるインターフェースを含んでいる。これらインターフェースは、計算装置及び周辺装置のためのＩ／Ｏ（入力／出力）を提供し、Ｉ／Ｏを提供する様々なプロトコル及び規格を使用することができる。
例えば、現在のコンピュータシステムは、それらの装置を接続するケーブルのコネクタによって実現されるような、対応する接続インターフェースとしてユニバーサルシリアルバス（ＵＳＢ）サブシステムを備えている。【０００３】
また、ＵＳＢとしては、ＵＳＢ２及びＵＳＢ３は、コンピュータシステム間でデータを送受信するために使用される一般的なＩ／Ｏインターフェースである。
例えば、ＵＳＢ Ｔｙｐｅ−Ｃは、ＵＳＢ３．１に対応する高速信号を伝送するための８つ（２つ一組として４組）の差動信号（ＲＸ１、ＴＸ１，ＲＸ２，ＴＸ２）と、ＵＳＢ２．０に対応する２つ一組の差動信号（Ｄ）と、接続された機器間におけるデータの送受信の際のコンフィグレーション等に使用される制御信号(ＣＣ１、ＣＣ２、ＳＢＵ１、ＳＢＵ２）と、コンピュータに接続された接続機器に対して電力を供給するＶＢＵＳ及びＧＮＤの各々とにより構成されている。
また、例えば、ＵＳＢ Ｔｙｐｅ−Ｃケーブルは、上述の各信号、電力供給及びＧＮＤを接続する線（線材）により構成されている。【０００４】
このうち4組の高速信号伝送用の上述の差動信号（ＲＸ１、ＴＸ１，ＲＸ２，ＴＸ２）の一部または全部を用いて例えばＨＤ（ｈｉｇｈ  ｄｅｆｉｎｉｔｉｏｎ）画像とＨＤ音声とを伝送するデジタルインターフェース規格であるＤｉｓｐｌａｙＰｏｒｔ（ディスプレイポート）の信号を伝送させる方法が、ＤｉｓｐｌａｙＰｏｒｔ  Ａｌｔ  Ｍｏｄｅ  ｏｎ  ＵＳＢ  Ｔｙｐｅ−Ｃとして規格化されている。
例えば、画像信号や制御信号等を含む各種信号が伝送される伝送路の設定（伝送路設定）は、ＰｉｎＡｓｓｉｇｎｍｅｎｔ（ピンアサイメント）  ＣまたはＰｉｎＡｓｓｉｇｎｍｅｎｔ  Ｄとして設定される。ＰｉｎＡｓｓｉｇｎｍｅｎｔ  Ｃの設定は、上述の４組の差動信号線（ＲＸ１、ＴＸ１，ＲＸ２，ＴＸ２）の全てをＤｉｓｐｌａｙＰｏｒｔとして利用する設定である。ＰｉｎＡｓｓｉｇｎｍｅｎｔ  Ｄの設定は、上述の４組の差動信号線（ＲＸ１、ＴＸ１，ＲＸ２，ＴＸ２）のうち、予め決められた２組をＤｉｓｐｌａｙＰｏｒｔとして利用し、残り２組をＵＳＢ３．１として利用する設定である。
また、ＤｉｓｐｌａｙＰｏｒｔは一つの画像を出力する画像伝送モード（画像の伝送形式）であるシングルストリーム（ＳＳＴ：Ｓｉｎｇｌｅ  Ｓｔｒｅａｍ  Ｔｒａｎｓｐｏｒｔ）と、二つ以上の画像を出力するための画像伝送モードであるマルチストリーム（ＭＳＴ：Ｍｕｌｔｉ  Ｓｔｒｅａｍ  Ｔｒａｎｓｐｏｒｔ）の２種類の伝送モードが規格化されている。
例えば、画像送信装置と画像表示装置とをＵＳＢ  Ｔｙｐｅ−Ｃケーブルを用いて接続し、画像送信装置に接続された画像表示装置の後段に２台以上の画像表示装置がＤｉｓｐｌａｙＰｏｒｔ（ディスプレイポート）ケーブルを用いてデイジーチェーン（ｄａｉｓｙ  ｃｈａｉｎ）接続（縦続接続）されているとき、画像伝送モードとしてシングルストリームが設定されていると１つの画像が伝送されるので、それぞれの画像表示装置は同じ画像を表示することができる。一方、画像伝送モードとしてマルチストリームが設定されていると複数の画像が伝送されるので、それぞれの画像表示装置は例えばそれぞれ異なる画像を表示することができる。また、マルチストリームが設定されていると１つの画像表示装置は例えばそれぞれ異なる複数の画像を表示することができる。
ここで、ＤｉｓｐｌａｙＰｏｒｔケーブルは、ＤｉｓｐｌａｙＰｏｒｔ信号を伝送するように構成されているケーブルであり、例えば、ＤｉｓｐｌａｙＰｏｒｔの規格に対応した各線を備える。また、ＤｉｓｐｌａｙＰｏｒｔ信号は、ＤｉｓｐｌａｙＰｏｒｔの規格に対応した画像信号を含む信号である。【０００５】
ＵＳＢ  Ｔｙｐｅ−Ｃの入力端子をもち、ＤｉｓｐｌａｙＰｏｒｔ  Ａｌｔ  ｍｏｄｅ  ｏｎ  ＵＳＢ  Ｔｙｐｅ−Ｃによる画像入力に対応している画像表示装置がある。（例えば、特許文献１）【０００６】
ＤｉｓｐｌａｙＰｏｒｔ  Ａｌｔ  ｍｏｄｅ  ｏｎ  ＵＳＢ  Ｔｙｐｅ−Ｃに対応した画像送信装置と画像表示装置とを、ＵＳＢ  Ｔｙｐｅ−Ｃケーブルを用いて接続した場合、伝送路設定をＰｉｎＡｓｓｉｇｎｍｅｎｔ  Ｄとすることにより、ＤｉｓｐｌａｙＰｏｒｔ信号とＵＳＢ３．１信号を同時に伝送することができる。
ＰｉｎＡｓｓｉｇｎｍｅｎｔ  Ｄの設定は、２組の差動信号線をＤｉｓｐｌａｙＰｏｒｔとして利用しており、伝送速度がＨＢＲ２の場合、１組当たりの伝送速度は５．４Ｇｂｐｓなので、この設定における伝送速度は１０．８Ｇｂｐｓ（５．４Ｇｂｐｓ×２）となる。
なお、ＨＢＲ２は、ＤｉｓｐｌａｙＰｏｒｔを用いて信号を伝送する際に規定されている伝送速度の１つであり、ＲＢＲ（伝送速度：１．６２Ｇｂｐｓ）、ＨＢＲ（伝送速度：２．７Ｇｂｐｓ）、ＨＢＲ２（伝送速度：５．４Ｇｂｐｓ）、ＨＢＲ３（伝送速度：８．１Ｇｂｐｓ）などがある。
ここで使用されている画像表示装置がサポートしている伝送速度は、ＨＢＲ２までとし、ＨＢＲ３はサポートしていないものとする（画像表示装置の仕様）。
ここで、画像送信装置が供給する画像を、例えば第１の画像とする。第１の画像は、画像の解像度が水平（横）２５６０ドット、垂直（縦）１４４０ドット（解像度：２５６０×１４４０）であり、画像のリフレッシュレートが６０Ｈｚであり、画像の階調が１０ｂｉｔを用いて表現されるものとする。第１の画像を、ＤｉｓｐｌａｙＰｏｒｔを用いて伝送する場合、ＤｉｓｐｌａｙＰｏｒｔ信号の伝送速度は約９Ｇｂｐｓ（以下、「約」は省略）が必要となる。【０００７】
すなわち、画像表示装置は、伝送路設定をＰｉｎＡｓｓｉｇｎｍｅｎｔ  Ｄに設定された場合、第１の画像を正常に受信するように（画像表示装置の仕様を満たすように）、画像の伝送形式をシングルストリームのモードに設定されていることが一般的である。
この場合、画像表示装置は１つの画像信号を受信するので、１つの画像を表示する。また、この場合、画像表示装置は、受信した画像をｄｏｔ  ｂｙ  ｄｏｔとして表示することができる。なお、画像表示装置が備える表示面、例えば液晶パネルの解像度は２５６０ｄｏｔ×１４４０ｄｏｔとする。ここで、ｄｏｔ  ｂｙ  ｄｏｔとして表示すること（ｄｏｔ  ｂｙ  ｄｏｔ表示）は、画像表示装置が備える表示面に画像などを表示する際の表示モードの一つで、画像送信装置などから供給される画像を構成する１画素を、画像表示装置が備える表示面を構成する１画素に対応させて表示させることである。すなわち、供給された画像は、拡大・縮小などの解像度変換等の処理を行わずに、そのまま表示される。【０００８】
次に、上述した画像送信装置と画像表示装置とをＵＳＢ  Ｔｙｐｅ−Ｃケーブルを用いて接続する際の動作を説明する。画像送信装置と画像表示装置とをＵＳＢ  Ｔｙｐｅ−Ｃケーブルで接続した後、両装置に電源を投入すると、画像送信装置は、画像表示装置が有する（記憶している）画像表示装置に関する表示情報を取得する。この表示情報は、少なくとも、伝送路設定の情報と、画像の伝送形式設定の情報とを含む。画像送信装置は、取得した表示情報に基づき、画像表示装置が設定される（記憶している）伝送路設定と伝送形式設定とに合わせて、ＵＳＢ  Ｔｙｐｅ−Ｃケーブルを用いて画像表示装置に画像を供給する。画像表示装置は、記憶部に記憶している伝送路設定の情報と伝送形式設定の情報とに基づき、画像送信装置からの情報、例えば画像を受信する。
画像表示装置に設定されている表示情報が、伝送路設定をＰｉｎＡｓｓｉｇｎｍｅｎｔ  Ｄ  、画像の伝送形式設定をＳＳＴとして設定されていた場合、上記のような動作を行い、画像送信装置および画像表示装置は、伝送路設定をＰｉｎＡｓｓｉｇｎｍｅｎｔ  Ｄ、画像の伝送形式設定をＳＳＴとして処理を行う。
【先行技術文献】
【特許文献】
【０００９】
【特許文献１】特開２０１７−１６７２４１号公報
【発明の概要】
【発明が解決しようとする課題】
【００１０】
次に、上述したように、画像送信装置と画像表示装置（１の画像表示装置または第１の画像表示装置または１台目の画像表示装置とする）とをＵＳＢ  Ｔｙｐｅ−Ｃケーブルを用いて接続し、画像を表示している状態とする。この状態から、さらに、他の画像表示装置（他の画像表示装置または第２の画像表示装置または２台目の画像表示装置とする）を、ＤｉｓｐｌａｙＰｏｒｔケーブルを用いて第１の画像表示装置にディジーチェーン接続し、第１の画像表示装置と第２の画像表示装置とにそれぞれ異なる画像を表示する状態に変更する場合を考える。すなわち、第１の画像表示装置が備えるＤｉｓｐｌａｙＰｏｒｔ信号を出力する端子（ＤｉｓｐｌａｙＰｏｒｔ  Ｏｕｔの端子）と第２の画像表示装置が備えるＤｉｓｐｌａｙＰｏｒｔ信号を供給する端子とをＤｉｓｐｌａｙＰｏｒｔケーブルを用いて接続する。【００１１】
なお、各装置の状態は、画像送信装置、第１の画像表示装置および第２の画像表示装置をそれぞれ接続した後、それぞれの電源を投入した状態としてもよい。この場合も、伝送路設定をＰｉｎＡｓｓｉｇｎｍｅｎｔ  Ｄ、画像の伝送形式設定をシングルストリーム（ＳＳＴ）として設定されているので、各画像表示装置は、同様の状態で表示しているものとする。また、第２の画像表示装置は、第１の画像表示装置と同じ画像を表示している状態としてもよい。
この状態において、第２の画像表示装置に第１の画像表示装置と異なる画像を表示する場合、画像送信装置から２つの異なる画像を供給するように再設定を行う必要がある。
すなわち、第１の画像表示装置に設定されている画像の伝送形式設定をシングルストリーム（ＳＳＴ）からマルチストリーム（ＭＳＴ）に、利用者は手動で変更する必要がある。また、画像の伝送形式設定を「ＭＳＴ」とすると、例えば、２つの画像が伝送されるので、ＤｉｓｐｌａｙＰｏｒｔ信号の伝送速度は１８Ｇｂｐｓ（９Ｇｂｐｓ×２）以上が必要となる。しかし、伝送路設定は、ＰｉｎＡｓｓｉｇｎｍｅｎｔ  Ｄとして設定されているので、伝送形式設定を「ＭＳＴ」とするだけでは、画像信号（画像情報）が適切に伝送できない。この場合、例えば、第２の画像表示装置は、適切に画像を表示できない。すなわち、この場合、第１の画像表示装置の伝送路設定をＰｉｎＡｓｓｉｇｎｍｅｎｔ  ＤからＰｉｎＡｓｓｉｇｎｍｅｎｔ  Ｃに、利用者は手動で変更する必要がある。
すなわち、伝送路設定の切り替え（変更）はＵＳＢ  Ｔｙｐｅ−Ｃの設定であり、一方、伝送形式の切り替え（変更）はＤｉｓｐｌａｙＰｏｒｔの設定である。このため、伝送路設定と、伝送形式の設定とを、利用者がそれぞれ個別に変更する必要があり、利用者にとっては煩雑な手順を踏む必要があった。【００１２】
上述の課題を鑑み、本発明は、画像表示装置において、伝送路設定と、伝送形式設定とを、利用者がそれぞれ個別に変更することなく、伝送路設定と伝送形式設定とのいずれかを設定することにより、他方の設定が変更されるため、伝送路設定及び伝送形式設定の処理に関する操作を容易に行え、利用者の負担を低減できる画像表示装置および画像表示方法を提供することを目的とする。
【課題を解決するための手段】
【００１３】
本発明は、所定の伝送特性を有する複数の伝送路を有する信号ケーブルを用いて第１の信号または第２の信号が供給される信号入力部と、前記第１の信号を伝送する伝送路を、前記複数の伝送路の少なくとも一部に設定する伝送路設定に応じて、前記複数の伝送路を用いて供給された信号の供給先を変更する伝送路制御部と、前記伝送路を用いて前記第１の信号を伝送する形式を示す伝送形式設定に応じて、前記伝送路を用いて供給された前記第１の信号から画像信号を生成する画像制御部と、所定の設定情報の変更に応じて、前記伝送路設定および前記伝送形式設定を変更する設定制御部と、を備える、画像表示装置である。【００１４】
本発明は、信号入力が、所定の伝送特性を有する複数の伝送路を有する信号ケーブルを用いて第１の信号または第２の信号が供給される信号入力過程と、伝送路制御部が、前記第１の信号を伝送する伝送路を、前記複数の伝送路の少なくとも一部に設定する伝送路設定に応じて、前記複数の伝送路を用いて供給された信号の供給先を変更する伝送路制御過程と、画像制御部が、前記伝送路を用いて前記第１の信号を伝送する形式を示す伝送形式設定に応じて、前記伝送路を用いて供給された前記第１の信号から画像信号を生成する画像制御過程と、設定制御部が所定の設定情報の変更に応じて、前記伝送路設定および前記伝送形式設定を変更する設定制御過程とを有する画像表示方法である。
【発明の効果】
【００１５】
本発明によれば、伝送路設定と、伝送形式設定とを、利用者がそれぞれ個別に変更することなく、伝送路設定と伝送形式設定とのいずれかを設定することにより、他方の設定が変更されるため、伝送路設定及び伝送形式設定の処理に関する操作を容易に行え、利用者の負担を低減できる画像表示装置及び画像表示方法を提供することができる。
【図面の簡単な説明】
【００１６】
【図１】本発明の第１の実施形態による画像表示装置の構成例を示す図である。
【図２】マルチディスプレイとするため、画像表示装置１に対して他の画像表示装置２をデイジーチェーン接続した構成例を示す図である。
【図３】本発明の第１の実施形態の画像表示装置１における伝送路設定と伝送形式設定との制御を示す動作例を示すフローチャートである。
【図４】本発明の第２の実施形態の画像表示装置１における伝送形式設定と伝送路設定との制御を示す動作例を示すフローチャートである。
【図５】第３の実施形態を説明するための、画像表示装置のデイジーチェーンの構成例を示す図である。
【図６】第３の実施形態を説明するための、画像表示装置のデイジーチェーンの構成例を示す図である。
【図７】第３の実施形態を説明するための、画像表示装置のデイジーチェーンの構成例を示す図である。
【図８】本発明の第３の実施形態の画像表示装置１における伝送形式設定と伝送路設定との制御を示す動作例を示すフローチャートである。
【図９】本発明の実施形態の概念を説明する図である。
【発明を実施するための形態】
【００１７】
本発明における画像表示装置は、信号ケーブルを用いた画像入力に対応し、特に、所定の伝送特性を有する複数の伝送路（伝送線路）を有する信号ケーブルを用いて、少なくとも、画像を示す画像信号を含む第１の信号が供給される装置である。第１の信号は、第１の規格であるディスプレイポートの規格に対応した信号（ＤｉｓｐｌａｙＰｏｒｔ信号）でもよい。なお、所定の伝送特性は、例えば同じ伝送特性（伝送速度、周波数特性、等）である。なお、同じ伝送特性とは、同じ伝送特性になるように設計されたものを含み、完全に同じ特性である必要はない。また、第１の信号は、画像に関連するタイミング信号（同期信号や画像有効期間を示す信号：ＤＥ信号）、等を含んでもよい。
また、本発明における画像表示装置は、画像送信装置から供給される第１の信号または第２の信号の伝送に関する設定を行うことができる装置である。第１の信号の伝送に関する設定は、例えば、第１の信号の伝送形式の設定や伝送路の設定、等である。
また、本発明における画像表示装置は、画像出力端子を用いて、ディジーチェーン接続された１または複数の他の画像表示装置に画像を伝送する画像表示装置としてもよい。
上述の信号ケーブルは、所定の規格に対応したケーブルであってもよい。例えば、所定の規格とは、ＤｉｓｐｌａｙＰｏｒｔ  ａｌｔ  ｍｏｄｅ  ｏｎ  ＵＳＢ  Ｔｙｐｅ−Ｃである。
画像の伝送に関する複数の設定は、複数の異なる規格に対してそれぞれ対応した設定であってもよい。複数の規格とは、例えば、ディスプレイポートに関する規格、ＵＳＢに関する規格、等である。
本発明における画像表示装置は、例えば、複数の規格においてそれぞれ設定される複数の設定を、所定の操作を行うことにより連係して設定することができる。例えば、ディスプレイポートの規格に対応する伝送形式の設定を行うことにより、ＵＳＢの規格に対応する伝送路の設定を連係して行うことができる。このことにより、利用者に煩雑な操作をさせることなく、画像送信装置と画像表示装置との間の最適な画像の伝送設定を行う。
【００１８】
＜第１の実施形態＞
以下、本発明の第１の実施形態による画像表示装置を、図面を参照して説明する。図１は、本発明の第１の実施形態による画像表示装置の構成例を示す図である。
図１に示すように、画像表示装置１は、ＵＳＢ−Ｔｙｐｅ−Ｃ入力部１０１、ＵＳＢ−Ｔｙｐｅ−Ｃ制御部１０２、信号接続部１０３、ＤｉｓｐｌａｙＰｏｒｔ制御部１０４、ＤｉｓｐｌａｙＰｏｒｔ出力部１０５、映像処理部１０６、映像表示部１０７、設定制御部１０８、ＵＳＢ３．１入力部１０９、ＵＳＢ２．０入力部１１０及びＵＳＢ−Ｈｕｂ（ハブ）１１１の各々を備えている。
【００１９】
ＵＳＢ−Ｔｙｐｅ−Ｃ入力部１０１は、ＵＳＢ−Ｔｙｐｅ−Ｃのコネクタを含む。
すなわち、ＵＳＢ−Ｔｙｐｅ−Ｃ入力部１０１は、所定の伝送特性を有する複数の伝送路を有する信号ケーブル、例えば、ＵＳＢ  Ｔｙｐｅ−Ｃケーブルを用いて第１の信号または第２の信号が供給（入力）される。なお、第１の信号および第２の信号は、双方向の通信（情報伝送）の場合を含む。この場合も例えば１方向において信号が供給されている。ＵＳＢ−Ｔｙｐｅ−Ｃ入力部１０１は、信号入力部の一例である。
第１の信号は、少なくとも、画像を示す画像信号を含む。また、第１の信号は、画像に関するタイミング信号（同期信号や画像有効期間を示す信号：ＤＥ信号）や制御信号、等を含んでもよい。例えば、本実施形態において、第１の信号は第１の規格に対応した信号である。第１の規格は、ディスプレイポートの規格である。第２の信号は、第２の規格に対応した信号である。第２の規格は、ＵＳＢの規格である。第２の信号は、ＵＳＢの規格に対応するＵＳＢ信号である。      
【００２０】
ＵＳＢ−Ｔｙｐｅ−Ｃ制御部１０２は、記憶部（図示せず）を有し、ＵＳＢ−Ｔｙｐｅ−Ｃの各種設定（接続設定を含む）、少なくとも第１の信号の伝送路の設定（伝送路設定）を記憶する。また、ＵＳＢ−Ｔｙｐｅ−Ｃ制御部１０２は、ＵＳＢ−Ｔｙｐｅ−Ｃの各種設定を管理し、伝送路設定に応じて、信号接続部１０３に対し、伝送路を設定する制御信号（ＰｉｎＡｓｓｉｇｎｍｅｎｔ制御信号Ａ）を出力する。例えば、伝送路設定は、ＰｉｎＡｓｓｉｎｇｍｅｎｔ Ｄ（第１の伝送路設定）またはＰｉｎＡｓｓｉｎｇｍｅｎｔ Ｃ（第２の伝送路設定）として設定され、ＰｉｎＡｓｓｉｇｎｍｅｎｔ制御信号Ａは、ＰｉｎＡｓｓｉｎｇｍｅｎｔ ＤまたはＰｉｎＡｓｓｉｎｇｍｅｎｔ Ｃに対応した設定にするよう信号接続部１０３に指示する制御信号である。
なお、伝送路設定は、複数の伝送路のうち、第１の信号を伝送する伝送路の数、または、第１の信号以外の信号を伝送する伝送路の数を含む設定でもよい。この場合、設定する伝送路の数に対応する、第１の信号を伝送する伝送路が、予め対応付けて記憶されている。
また、ＵＳＢ−Ｔｙｐｅ−Ｃ制御部１０２は、伝送路の設定の変更に応じて、信号接続部１０３に対し、ＰｉｎＡｓｓｉｇｎｍｅｎｔ制御信号Ａを出力する。例えば、後述する設定制御部１０８からの伝送路設定の変更に対応する信号（ＰｉｎＡｓｓｉｇｎｍｅｎｔ制御信号Ｂ）を受けると、ＰｉｎＡｓｓｉｇｎｍｅｎｔ制御信号Ｂに対応するＰｉｎＡｓｓｉｇｎｍｅｎｔ制御信号Ａを信号接続部１０３に対し出力する。
なお、第１の伝送路設定と第２の伝送路設定とは少なくとも一部が異なる設定である。すなわち、第１の伝送路設定と第２の伝送路設定とは、設定される伝送路のうち、少なくとも一部の伝送路が異なる種類の信号を伝送するようになされる設定である。例えば、画像信号（パケット）を含む信号と、画像信号（パケット）を含まない信号とは異なる種類の信号である。また、ディスプレイポートに対応する信号（パケット）とＵＳＢに対応する信号（パケット）など、異なる規格に対応する信号は、異なる種類の信号である。なお、信号はパケットに限定されない。
ＵＳＢ−Ｔｙｐｅ−Ｃ制御部１０２は、接続制御部の一例である。
【００２１】
信号接続部１０３は、ＵＳＢ−Ｔｙｐｅ−Ｃ制御部１０２からのＰｉｎＡｓｓｉｇｎｍｅｎｔ制御信号Ａ（伝送路を設定する第１の制御信号）を受け、ＰｉｎＡｓｓｉｇｎｍｅｎｔ制御信号Ａに基づき、ＵＳＢ−Ｔｙｐｅ−Ｃケーブル（信号ケーブル）が有する４組の差動信号（ＲＸ１、ＴＸ１，ＲＸ２，ＴＸ２）（以下、伝送路とも言う）を用いて供給された信号（高速信号）の供給先を設定する。このとき、信号接続部１０３は、ＰｉｎＡｓｓｉｇｎｍｅｎｔ制御信号ＡがＰｉｎＡｓｓｉｎｇｍｅｎｔ Ｄに対応する設定を示す場合、予め定められている、４組のうち２組の伝送路を用いて伝送されたＤｉｓｐｌａｙＰｏｒｔ信号（第１の信号）を、後述するＤｉｓｐｌａｙＰｏｒｔ制御部１０４に供給し、残りの２組の伝送路を用いて伝送されたＵＳＢ信号（第２の信号）をＵＳＢ３．１入力部１１０に対して供給する。すなわち、ＰｉｎＡｓｓｉｎｇｍｅｎｔ Ｄの設定は、例えば４組の差動信号であるＲＸ２をＤｉｓｐｌａｙＰｏｒｔ Ｌａｎｅ０、ＴＸ２をＤｉｓｐｌａｙＰｏｒｔ Ｌａｎｅ１、ＴＸ１をＵＳＢ３．１ＳＳＴＸ１、ＲＸ１をＵＳＢ３．１ＳＳＲＸ１として設定される。
また、信号接続部１０３は、ＰｉｎＡｓｓｉｇｎｍｅｎｔ制御信号ＡがＰｉｎＡｓｓｉｎｇｍｅｎｔ Ｃに対応する設定を示す場合には、予め定められている、４組の全ての伝送路を用いて伝送されたＤｉｓｐｌａｙＰｏｒｔ信号を、ＤｉｓｐｌａｙＰｏｒｔ制御部１０４に供給する。
すなわち、ＰｉｎＡｓｓｉｎｇｍｅｎｔ Ｄの設定は、例えば４組の差動信号であるＲＸ２をＤｉｓｐｌａｙＰｏｒｔ Ｌａｎｅ０、ＴＸ２をＤｉｓｐｌａｙＰｏｒｔ Ｌａｎｅ１、ＴＸ１をＤｉｓｐｌａｙＰｏｒｔ Ｌａｎｅ２、ＲＸ１をＤｉｓｐｌａｙＰｏｒｔ Ｌａｎｅ３として設定される。
伝送路制御部は、ＵＳＢ−Ｔｙｐｅ−Ｃ制御部（接続制御部）１０２および信号接続部１０３を含む。すなわち、伝送路制御部は、第１の信号を伝送する伝送路を、信号ケーブルが有する複数の伝送路の少なくとも一部に設定する伝送路設定に応じて、複数の伝送路を用いて供給された信号（第１の信号または第２の信号）の供給先を変更する。  
【００２２】
ＤｉｓｐｌａｙＰｏｒｔ制御部１０４は、記憶部（図示せず）を有し、少なくとも画像（画像信号）の伝送形式の設定（伝送形式設定）を記憶する。また、ＤｉｓｐｌａｙＰｏｒｔ制御部１０４は、記憶部（図示せず）を有し、自身のＥＤＩＤを記憶する。伝送形式設定とＥＤＩＤとは同じ記憶部に記憶されてもよいし、異なる記憶部に記憶されてもよい。ＤｉｓｐｌａｙＰｏｒｔ制御部１０４は、入力されたＤｉｓｐｌａｙＰｏｒｔ信号（マルチストリーム）を、映像処理部１０６に対し出力する機能と、ＤｉｓｐｌａｙＰｏｒｔ出力部１０５に対して出力す
る機能を有している。なお、映像処理部１０６に対し出力する信号は、映像処理部１０６で用いられる赤（Ｒ）、緑（Ｇ）、青（Ｂ）等の色（３原色）に対応する画像信号（ＲＧＢ信号）に変換して出力し、ＤｉｓｐｌａｙＰｏｒｔ出力部１０５に対して出力する信号は、「ＳＳＴ」または「ＭＳＴ」のＤｉｓｐｌａｙＰｏｒｔ信号として出力することが望ましい。なお、映像処理部１０６で用いられる画像信号が対応する色は、画像表示部１０７が画像を表示するときに発する光の少なくとも基本の色（例えば３原色）である。また、映像処理部１０６で用いられる画像信号は、輝度、色差信号、等でもよい。
また、ＤｉｓｐｌａｙＰｏｒｔ制御部１０４は、伝送形式設定に応じて、前記伝送路を用いて伝送された第１の信号から画像信号を生成する。例えば、ＤｉｓｐｌａｙＰｏｒｔ制御部１０４は、伝送形式設定がＳＳＴの場合、供給される画像は１つの画像なので、供給された画像を映像処理部１０６で用いられる画像信号に変換して（生成して）、変換した画像信号を映像処理部１０６に出力する。ＤｉｓｐｌａｙＰｏｒｔ制御部１０４は、供給された画像をＤｉｓｐｌａｙＰｏｒｔ出力部１０５に供給するようにしてもよい。また、ＤｉｓｐｌａｙＰｏｒｔ制御部１０４は、伝送形式設定が「ＭＳＴ」の場合、供給される画像は複数の画像なので、供給された画像のうち、所定の１の画像を映像処理部１０６で用いられる画像信号に変換して（生成して）、変換した画像信号を映像処理部１０６に出力する。ＤｉｓｐｌａｙＰｏｒｔ制御部１０４は、供給された画像のうち他の画像（映像処理部１０６に出力する画像とは異なる画像、換言すると、画像表示部１０７に表示する画像とは異なる画像）をＤｉｓｐｌａｙＰｏｒｔ出力部１０５に供給するようにしてもよい。なお、映像処理部１０６に出力する画像（画像信号）（換言すると、画像表示部１０７に表示する画像）は複数でもよい。また、ＤｉｓｐｌａｙＰｏｒｔ出力部１０５に供給する画像は、映像処理部１０６に出力した画像と同じ画像でも、異なる画像でも、両方含んでいてもよい。また、ＤｉｓｐｌａｙＰｏｒｔ出力部１０５に供給する画像は、１つでもよいし、複数でもよい。また、ＤｉｓｐｌａｙＰｏｒｔ出力部１０５に供給する画像は、利用者により選択された画像でもよい。
また、ＤｉｓｐｌａｙＰｏｒｔ制御部１０４は、伝送形式設定の変更に応じて、上述した処理を変更する。例えば、後述する設定制御部１０８からの伝送形式設定の変更に対応する信号（ＳＳＴ／ＭＳＴ制御信号）を受けると、ＳＳＴ／ＭＳＴ制御信号に対応した処理を行う。
また、ＤｉｓｐｌａｙＰｏｒｔ制御部１０４は、ＤｉｓｐｌａｙＰｏｒｔ出力部１０５に接続された後段の、２台目の他の画像表示装置、もしくは２台目から更にデイジーチェーン接続された画像表示装置を正しく表示させるために必要な情報、例えば、画像伝送速度を、ＡＵＸ（Ａｕｘｉｌｉａｒｙ：補助）チャネルにおいて伝送される後段の、ＥＤＩＤ（ＤｉｓｐｌａｙＰｏｒｔ  Ｃｏｎｆｉｇｕｒａｔｉｏｎ  Ｄａｔａ）およびＤＰＣＤ（Ｅｘｔｅｎｄｅｄ  Ｄｉｓｐｌａｙ．  Ｉｄｅｎｔｉｆｉｃａｔｉｏｎ  Ｄａｔａ）等のデータを取得することで求める機能を有する。すなわち、後段の、ＥＤＩＤに含まれる表示する画像の解像度情報と、ＤＰＣＤに含まれる、伝送速度情報とに基づき、ＤｉｓｐｌａｙＰｏｒｔ信号の画像伝送速度を求める。なお、後段に接続された画像表示装置を正しく表示させるための情報が求められるのであれば、他のデータを用いてもよい。
ＤｉｓｐｌａｙＰｏｒｔ制御部１０４は、画像制御部の一例である。
【００２３】
ＤｉｓｐｌａｙＰｏｒｔ出力部１０５は、ＤｉｓｐｌａｙＰｏｒｔの規格に対応した、ＤｉｓｐｌａｙＰｏｒｔ信号を出力するＤｉｓｐｌａｙＰｏｒｔ−Ｏｕｔの端子（コネクタ）を含む。ＤｉｓｐｌａｙＰｏｒｔ−Ｏｕｔの端子は、後段の画像表示装置（２台目の画像表示装置）とＤｉｓｐｌａｙＰｏｒｔケーブルを用いて接続される。ＤｉｓｐｌａｙＰｏｒｔ−Ｏｕｔの端子は、画像出力端子の一例である。ＤｉｓｐｌａｙＰｏｒｔ出力部１０５は、画像出力部の一例である。画像出力部は、ＤｉｓｐｌａｙＰｏｒｔ信号に限らず、他の信号形式、例えばＲＧＢ信号や輝度色差信号等の画像信号を出力してもよい。
【００２４】
映像処理部１０６は、ＤｉｓｐｌａｙＰｏｒｔ制御部１０４から供給される画像信号を、映像表示部１０７に表示する画像信号（映像信号ともいう）に変換して、映像表示部１０７に出力する。映像処理部１０６は、例えば、必要に応じて、色補正処理、輪郭補正処理、解像度変換処理、または、ガンマ補正処理、等を行い、映像信号を変換する。
【００２５】
映像表示部１０７は、例えば液晶パネルを含み、映像処理部１０６から出力された画像信号を入力して、利用者に対し画像（映像）として表示する機能を有する。
【００２６】
ＵＳＢ３．１入力部１０９は、信号接続部１０３から出力されたＵＳＢ３．１信号を、ＵＳＢ−Ｈｕｂ１１１に対し出力する機能を有する。
【００２７】
ＵＳＢ２．０入力部１１０は、ＵＳＢ−Ｔｙｐｅ−Ｃ入力部１０１から入力されたＵＳＢ２．０信号を、ＵＳＢ−Ｈｕｂ１１１に対し出力する機能を有する。
【００２８】
ＵＳＢ−Ｈｕｂ１１１は、ＵＳＢ３．１入力部１０９から出力されたＵＳＢ３．１信号、及びＵＳＢ２．０入力部１１０から出力されたＵＳＢ２．０信号の各々を入力し、ＵＳＢ−Ｄｅｖｉｃｅ２００それぞれに対して出力する機能、及びＵＳＢ−Ｄｅｖｉｃｅ２００から供給されるＵＳＢ３．１信号及びＵＳＢ２．０信号の各々を入力し、所定の機能部（不図示）に対して出力する。
ＵＳＢ−Ｈｕｂ１１１は、ＵＳＢ接続部の一例である。
【００２９】
設定制御部１０８は、画像表示装置１全体の制御を行う機能ブロックにおける画像表示装置制御部の一部として構成されてもよい。設定制御部１０８は、キーボードのキー操作やリモコン（リモートコントロール）端末の操作等の外部装置からの利用者の制御、または、画像表示装置１が備えるボタンを用いた利用者の制御に対応し、画像表示装置１の設定値（例えば、表示する画像の解像度や後述する伝送路設定、伝送形式設定など）を変更できる。また、設定制御部１０８は、ＵＳＢ−Ｔｙｐｅ−Ｃ制御部１０２が記憶している伝送路設定を変更する機能を有する。設定制御部１０８は、伝送路設定が変更されると、ＵＳＢ−Ｔｙｐｅ−Ｃ制御部１０２に対し、伝送路設定の変更に対応する信号（ＰｉｎＡｓｓｉｇｎｍｅｎｔ制御信号Ｂ）を出力する。設定制御部１０８は、ＤｉｓｐｌａｙＰｏｒｔ制御部１０４が記憶している伝送形式設定を、変更する機能を有する。設定制御部１０８は、伝送形式設定が変更されると、ＤｉｓｐｌａｙＰｏｒｔ制御部１０４に対し、伝送形式設定の変更に対応する信号（ＳＳＴ／ＭＳＴ制御信号）を出力する。
【００３０】
ＵＳＢ−Ｄｅｖｉｃｅ２００は、マウス、キーボード、ＵＳＢメモリなどの一般的なＵＳＢデバイスを示している。ＵＳＢ−Ｄｅｖｉｃｅ２００は、ＵＳＢデバイスとして画像表示装置１に接続される外部装置である。
【００３１】
図２は、複数の、例えば２台の画像表示装置を接続し画像を表示するマルチディスプレイの構成例を示す図である。画像送信装置５００と画像表示装置１（１の画像表示装置または第１の画像表示装置または１台目の画像表示装置とする）とは、ＵＳＢ  Ｔｙｐｅ−Ｃケーブルを用いて接続されている。また、画像表示装置１と画像表示装置２（他の画像表示装置または第２の画像表示装置または２台目の画像表示装置とする）とは、ＤｉｓｐｌａｙＰｏｒｔケーブルを用いてデイジーチェーン接続されている。
なお、画像表示装置１は、初期設定として、ＤｉｓｐｌａｙＰｏｒｔ信号（第１の信号）の伝送形式設定はシングルストリームに、伝送路設定はＰｉｎＡｓｓｉｇｎｍｅｎｔ  Ｄに設定されているとする。
この状態において、各装置１、２および５００に電源を投入すると、画像送信装置５００は、画像表示装置１が有する（記憶している）画像表示装置１に関する表示情報を取得する。この表示情報は、少なくとも、第１の信号を伝送する伝送路設定の情報と、第１の信号を伝送する伝送形式設定の情報とを含む。
【００３２】
具体的には、画像送信装置５００は、ＵＳＢ  Ｔｙｐｅ−Ｃの制御信号（ＣＣ１、ＣＣ２）を用いて、ＵＳＢ  Ｔｙｐｅ−Ｃ制御部１０２が有する記憶部から伝送路設定を取得する。また、画像送信装置５００は、ＵＳＢ  Ｔｙｐｅ−Ｃの制御信号（ＳＢＵ１、ＳＢＵ２）を用いて、ＵＳＢ  Ｔｙｐｅ−Ｃ制御部１０２、信号接続部１０３を介して、ＤｉｓｐｌａｙＰｏｒｔ制御部１０４が有する記憶部から伝送形式設定を取得する。また、画像送信装置５００は、ＵＳＢ  Ｔｙｐｅ−Ｃの制御信号（ＳＢＵ１、ＳＢＵ２）を用いて、ＵＳＢ  Ｔｙｐｅ−Ｃ制御部１０２、信号接続部１０３を介して、ＤｉｓｐｌａｙＰｏｒｔ制御部１０４が有する記憶部からＥＤＩＤを取得する。
画像送信装置５００は、取得した表示情報に基づき、画像表示装置１が設定される伝送路設定と伝送形式設定とに合わせて（一致するように）、ＵＳＢ  Ｔｙｐｅ−Ｃケーブルを用いて画像表示装置１に第１の信号を供給する。画像表示装置１は、記憶部に記憶している伝送路設定の情報と伝送形式設定の情報とに基づき、画像送信装置５００からの第１の信号を受信し、第１の信号に含まれる画像を表示する。
このように、画像表示装置に設定（記憶）されている表示情報を画像送信装置が取得し、この表示情報に基づき、画像表示装置と画像送信装置との間の通信（情報伝送）の設定を行うことをコンフィグレーションとする。なお、画像送信装置が表示情報を取得することは、画像送信装置が画像表示装置から表示情報を読み出すことや、画像表示装置が画像送信装置に表示情報を送信すること、等、主体を問わず画像送信装置が画像表示装置から表示情報を得ることとしてもよい。
【００３３】
また、コンフィグレーションは、ＥＤＩＤ等の情報を取得すること等、その他の初期設定を行うことを含んでもよい。また、表示情報は、ＥＤＩＤ等の情報を含んでもよい。
また、画像表示装置１は、伝送形式の情報に基づき、受信した画像のうち、設定されている画像を画像表示装置２に供給するようにしてもよい。画像表示装置２は、画像表示装置１から供給された画像を表示する。
具体的には、画像送信装置５００は、取得した表示情報から、伝送形式はシングルストリーム、伝送路の設定はＰｉｎＡｓｓｉｇｎｍｅｎｔ  Ｄであることを判定すると、自身の設定を、伝送形式を「ＳＳＴ」に、伝送路の設定をＰｉｎＡｓｓｉｇｎｍｅｎｔ  Ｄに設定して画像表示装置１に第１の信号を供給する。画像表示装置１は、自身の設定により、伝送形式を「ＳＳＴ」、伝送路の設定をＰｉｎＡｓｓｉｇｎｍｅｎｔ  Ｄとして、画像送信装置５００から第１の信号を受信し、受信した第１の信号に含まれる画像を表示する。
また、画像表示装置１は、受信した画像（「ＳＳＴ」に設定されているので（受信した画像は１つの画像であるので）、自身が表示している画像と同じ画像）を画像表示装置２に供給する。この場合、画像送信装置５００と画像表示装置１とは、伝送路の設定がＰｉｎＡｓｓｉｇｎｍｅｎｔ  Ｄに設定されるので、ＵＳＢ３．１を利用することができる。
その後、利用者は、画像表示装置１と画像表示装置２とが同じ画像を表示する状態から、画像表示装置１と画像表示装置２とが異なる画像を表示する状態に変更する場合、利用者は伝送形式設定を「ＳＳＴ」から「ＭＳＴ」に切り替える（変更する）。この伝送形式設定の変更は、画像表示装置が備えるコントロール用ボタンもしくは外部装置のリモコン等を用いた操作で行われる。
利用者が伝送形式設定を変更すると、設定制御部１０８は伝送形式設定が変更されたことを検出し、設定制御部１０８は、ＤｉｓｐｌａｙＰｏｒｔ制御部１０４に対し、伝送形式設定の変更に対応する信号（ＳＳＴ／ＭＳＴ制御信号）を出力する。この場合、伝送形式設定の変更に対応する信号は、シングルストリームの設定からマルチストリームの設定に変更することを示す信号である。また、設定制御部１０８は、伝送路制御部（ＵＳＢ−Ｔｙｐｅ−Ｃ制御部１０２）に対し、伝送路設定の変更に対応する信号（ＰｉｎＡｓｓｉｇｎｍｅｎｔ制御信号Ｂ）を出力する。この場合、伝送路設定の変更に対応する信号は、ＰｉｎＡｓｓｉｎｇｍｅｎｔ Ｄに対応する設定からＰｉｎＡｓｓｉｎｇｍｅｎｔ Ｃに対応する設定に変更することを示す信号である。ＤｉｓｐｌａｙＰｏｒｔ制御部１０４は、受信した信号に応じて、記憶部に記憶している伝送形式設定をシングルストリームの設定からマルチストリームの設定に変更する。伝送路制御部（ＵＳＢ−Ｔｙｐｅ−Ｃ制御部１０２）は、受信した信号に応じて、記憶部に記憶している伝送路設定をＰｉｎＡｓｓｉｎｇｍｅｎｔ Ｄに対応する設定からＰｉｎＡｓｓｉｎｇｍｅｎｔ Ｃに対応する設定に変更する。
その後、設定制御部１０８は、画像送信装置５００にコンフィグレーションを行うようにコマンド（命令）を送信し、設定制御部１０８は、画像表示装置１がコンフィグレーションを行うように制御する。
【００３４】
なお、コンフィグレーションは、画像送信装置または画像表示装置に電源が供給された場合の他、例えば、画像表示装置からＵＳＢ  Ｔｙｐｅ−Ｃケーブルの制御信号線（ＣＣ１、ＣＣ２）等を用いて送信される制御コマンド等により行われる。すなわち、例えば、伝送線路の設定が変更されたことを示すコマンドまたはＤｉｓｐｌａｙＰｏｒｔのＨｏｔＰｌｕｇ（ホットプラグ）信号が変化したこと（ＬｏｗレベルからＨｉｇｈレベルに変化したこと、等）を示すコマンド、または、コンフィグレーションを開始することを示すコマンド、等を、画像表示装置から画像送信装置に送信することにより、コンフィグレーションが開始される。すなわち、直接的または間接的にコンフィグレーションを促すコマンドを画像表示装置から画像送信装置に送信することにより、コンフィグレーションが開始される。なお、コンフィグレーションの開始は、制御コマンドの送信に限らず、例えば、専用の端子および線を有するようにして、その端子の電圧レベルを変化させること（ＬｏｗレベルからＨｉｇｈレベルに変化させる、等）により画像送信装置に通知するようにしてもよい。
【００３５】
すなわち、従来の画像表示装置は、画像表示装置の設定変更を画像送信装置に適用するため、各装置の電源をオフした後、再びオンしたり、画像送信装置と画像表示装置との間のＵＳＢ  ＴＹＰＥ−Ｃケーブルを抜いた後、再び接続する、等、コンフィグレーションを再び行う必要があり、利用者にとっては煩雑な手順を踏む必要があった。
しかし、上述のように制御することにより、画像表示装置１および画像送信装置５００の設定を容易に変更することができ、利用者の負担を低減できる。
また、画像表示装置および画像送信装置を利用者が手動でそれぞれ設定することもできるが、利用者にとっては煩雑な手順を踏む必要があった。
なお、設定変更後のコンフィグレーションは、必ずしも行う必要はなく、次回の装置の電源投入時から設定が反映されるようにしてもよい。この場合、設定変更から画像表示装置の電源を遮断するまで、画像表示装置１および画像送信装置５００は、変更前の設定で動作するようにすることが望ましい。
【００３６】
図３は、本発明の第１の実施形態の画像表示装置１における伝送路設定と伝送形式設定との制御を示す動作例を示すフローチャートである。
【００３７】
ステップＳ１０１：設定制御部１０８は、現在の伝送路設定と、伝送形式設定とを検出し、自身内部の記憶部に書き込んで記憶する。
【００３８】
ステップＳ１０２：設定制御部１０８は、外部装置（例えば、リモコン）から伝送形式設定の設定状態が利用者により変更されたか否かの判定を行う。このとき、設定制御部１０８は、伝送形式設定の設定状態が変更された場合、処理をステップＳ１０３へ進める。一方、設定制御部１０８は、伝送形式設定の設定状態が変更されない場合、ステップＳ１０２の処理を繰り返す。
【００３９】
ステップＳ１０３：設定制御部１０８は、伝送形式設定が「ＳＳＴ」から「ＭＳＴ」に変更された場合、処理をステップＳ１０４へ進める。一方、設定制御部１０８は、伝送形式設定が「ＭＳＴ」から「ＳＳＴ」に変更された場合、処理をステップＳ１０８へ進める。
【００４０】
ステップＳ１０４：設定制御部１０８は、伝送形式設定が「ＳＳＴ」から「ＭＳＴ」に変更された場合、伝送路設定を、ＰｉｎＡｓｓｉｇｎｍｅｎｔ  ＤからＰｉｎＡｓｓｉｎｇｍｅｎｔ  Ｃに変更することを示すＰｉｎＡｓｓｉｎｇｍｅｎｔ制御信号ＢをＵＳＢ−Ｔｙｐｅ−Ｃ制御部１０２に対して出力する。
また、設定制御部１０８は、伝送形式設定を、「ＳＳＴ」から「ＭＳＴ」に変更することを示すＳＳＴ／ＭＳＴ制御信号を、ＤｉｓｐｌａｙＰｏｒｔ制御部１０４に対して出力する。
【００４１】
ステップＳ１０５：ＵＳＢ−Ｔｙｐｅ−Ｃ制御部１０２は、伝送路設定を、ＰｉｎＡｓｓｉｇｎｍｅｎｔ  ＤからＰｉｎＡｓｓｉｎｇｍｅｎｔ  Ｃに変更することを示すＰｉｎＡｓｓｉｎｇｍｅｎｔ制御信号Ａを、信号接続部１０３に対して出力する。
【００４２】
信号接続部１０３は、ＰｉｎＡｓｓｉｇｎｍｅｎｔ制御信号ＡがＰｉｎＡｓｓｉｎｇｍｅｎｔ  Ｃに対応する設定を示す場合には、ＵＳＢ−Ｔｙｐｅ−Ｃ入力部１０１から出力される４組の全ての伝送路を用いて伝送されたＤｉｓｐｌａｙＰｏｒｔ信号を、ＤｉｓｐｌａｙＰｏｒｔ制御部１０４に供給する。
【００４３】
ステップＳ１０６：ＵＳＢ−Ｔｙｐｅ−Ｃ制御部１０２は、ＰｉｎＡｓｓｉｇｎｍｅｎｔ制御信号Ａに応じて、記憶部に記憶している伝送路設定をＰｉｎＡｓｓｉｎｇｍｅｎｔ Ｄに対応する設定からＰｉｎＡｓｓｉｎｇｍｅｎｔ Ｃに対応する設定に変更する。そして、ＵＳＢ−Ｔｙｐｅ−Ｃ制御部１０２は、画像送信装置５００に対してコンフィグレーションを行うコマンドを送信し、かつ画像表示装置１がコンフィグレーションを行うように制御する。
【００４４】
ステップＳ１０７：ＤｉｓｐｌａｙＰｏｒｔ制御部１０４は、伝送形式設定を、シングルストリームからマルチストリームに変更することを示すＳＳＴ／ＭＳＴ制御信号が供給された場合、ＤｉｓｐｌａｙＰｏｒｔ信号の伝送形式設定の再設定を行う。すなわち、ＤｉｓｐｌａｙＰｏｒｔ制御部１０４は、ＤｉｓｐｌａｙＰｏｒｔ信号から生成した画像信号を映像処理部１０６に出力するとともに、ＤｉｓｐｌａｙＰｏｒｔ信号から生成した他の画像信号を、ＤｉｓｐｌａｙＰｏｒｔ出力部１０５を介してデイジーチェーン接続された後段の画像表示装置２に対してＤｉｓｐｌａｙＰｏｒｔ信号として出力する設定となる。
【００４５】
ステップＳ１０８：設定制御部１０８は、伝送形式設定が「ＭＳＴ」から「ＳＳＴ」に変更された場合、伝送路設定を、ＰｉｎＡｓｓｉｇｎｍｅｎｔ  ＣからＰｉｎＡｓｓｉｎｇｍｅｎｔ  Ｄに変更することを示すＰｉｎＡｓｓｉｎｇｍｅｎｔ制御信号ＢをＵＳＢ−Ｔｙｐｅ−Ｃ制御部１０２に対して出力する。
また、設定制御部１０８は、伝送形式設定を、マルチストリームからシングルストリームに変更することを示すＳＳＴ／ＭＳＴ制御信号を、ＤｉｓｐｌａｙＰｏｒｔ制御部１０４に対して出力する。
【００４６】
ステップＳ１０９：ＵＳＢ−Ｔｙｐｅ−Ｃ制御部１０２は、伝送路設定を、ＰｉｎＡｓｓｉｇｎｍｅｎｔ  ＣからＰｉｎＡｓｓｉｎｇｍｅｎｔ  Ｄに変更することを示すＰｉｎＡｓｓｉｎｇｍｅｎｔ制御信号Ａを、信号接続部１０３に対して出力する。
【００４７】
信号接続部１０３は、ＰｉｎＡｓｓｉｇｎｍｅｎｔ制御信号ＡがＰｉｎＡｓｓｉｎｇｍｅｎｔ  Ｄに対応する設定を示す場合には、ＵＳＢ−Ｔｙｐｅ−Ｃ入力部１０１から出力される４組のうち２組の伝送路を用いて伝送されたＤｉｓｐｌａｙＰｏｒｔ信号を、ＤｉｓｐｌａｙＰｏｒｔ制御部１０４に供給し、残りの２組の伝送路を用いて伝送されたＵＳＢ信号をＵＳＢ３．１入力部１１０に供給する。
【００４８】
ステップＳ１１０：ＵＳＢ−Ｔｙｐｅ−Ｃ制御部１０２は、ＰｉｎＡｓｓｉｇｎｍｅｎｔ制御信号Ａに応じて、記憶部に記憶している伝送路設定をＰｉｎＡｓｓｉｎｇｍｅｎｔ Ｃに対応する設定からＰｉｎＡｓｓｉｎｇｍｅｎｔ Ｄに対応する設定に変更する。そして、ＵＳＢ−Ｔｙｐｅ−Ｃ制御部１０２は、画像送信装置５００に対してコンフィグレーションを行うコマンドを送信し、かつ画像表示装置１がコンフィグレーションを行うように制御する。
【００４９】
ステップＳ１１１：ＤｉｓｐｌａｙＰｏｒｔ制御部１０４は、伝送形式設定を、「ＭＳＴ」から「ＳＳＴ」に変更することを示すＳＳＴ／ＭＳＴ制御信号が供給された場合、記憶部に記憶しているＤｉｓｐｌａｙＰｏｒｔ信号の伝送形式設定を「ＭＳＴ」から「ＳＳＴ」に再設定する。また、ＤｉｓｐｌａｙＰｏｒｔ制御部１０４は、ＤｉｓｐｌａｙＰｏｒｔ信号から生成した画像信号を映像処理部１０６に出力する設定となる。また、ＤｉｓｐｌａｙＰｏｒｔ制御部１０４は、ＤｉｓｐｌａｙＰｏｒｔ信号から生成した上記と同一の画像信号を、ＤｉｓｐｌａｙＰｏｒｔ出力部１０５を介してデイジーチェーン接続された後段の画像表示装置２に対してＤｉｓｐｌａｙＰｏｒｔ信号として出力しても良い。
【００５０】
上述した構成により、第１の実施形態においては、利用者がマルチディスプレイとして画像表示装置１及び２の２つの表示画面を利用する際、伝送形式設定を、「ＭＳＴ」及び「ＳＳＴ」のいずれか一方から他方に変換する処理を行うことのみで、伝送路設定も変更させることができるため、従来のように、伝送形式設定及び伝送路設定の双方を別々に変更する手間を省くことができ、ＵＳＢ−Ｔｙｐｅ−Ｃの伝送路設定及び伝送形式設定を容易な操作で変更し、最適な伝送路の状態に設定することができる。
すなわち、画像送信装置が供給する画像が１つの場合（ＤｉｓｐｌａｙＰｏｒｔ信号の伝送形式が「ＳＳＴ」に設定された場合）、伝送路設定をＰｉｎＡｓｓｉｇｎｍｅｎｔ  Ｄとすることにより、４組の差動信号線のうち、他の２組の差動信号線をＵＳＢ３．１として利用することができる。
なお、ＵＳＢ３．１を用いて情報の伝送が行われているときに、ＵＳＢ３．１の伝送路が切断されると、伝送中の情報に関連する情報が破壊される可能性がある。このため、ＵＳＢ３．１を使用できる伝送路の設定から使用できない伝送路の設定に変更する場合、設定を変更する前に、ＵＳＢ３．１を用いた情報の通信が行われていないか否かを、利用者に確認するように、例えば、映像表示部１０７を用いて表示すること（注意を促すこと）が望ましい。
また、本実施形態では、画像出力端子を用いて、デイジーチェーン接続された他の画像表示装置に画像を伝送する画像表示装置として説明したが、これに限定されない。例えば、画像出力端子に他の画像表示装置を接続したり、画像を出力したりする必要はない。また、画像出力端子を備えなくともよい。例えば、画像表示装置は、１の画像を表示する（用いる）状態と、それぞれ異なる複数の画像を表示する（用いる）状態とを変更できるように設定した場合なども、伝送路設定及び伝送形式設定を容易に適切に変更することができる。
【００５１】
また、本実施形態では、所定の設定情報として、伝送形式を用いて説明したが、これに限定されない。例えば、所定の設定情報として、伝送路設定を用いてもよい。この場合、例えば、設定情報として、ＵＳＢ３．１を使用するか、否かを伝送路設定とすることができる。ＵＳＢ３．１を「使用しない（ＰｉｎＡｓｓｉｇｎｍｅｎｔ  Ｃ）」から「使用する（ＰｉｎＡｓｓｉｇｎｍｅｎｔ  Ｄ）」に設定を変更したときに、伝送形式を「ＭＳＴ」から「ＳＳＴ」に変更する。また、ＵＳＢ３．１を「使用する」から「使用しない」に設定を変更したときに、伝送形式を「ＳＳＴ」から「ＭＳＴ」に変更するようにしてもよい。
【００５２】
＜第２の実施形態＞
第２実施形態の画像表示装置の構成は、図１に示す第１の実施形態と同様である。以下、第２実施形態の画像表示装置においては、第１の実施形態の画像表示装置と異なる動作のみを説明する。
本実施形態の第１の実施形態と異なる点は、利用者がこの伝送形式設定の動作を、一般的には画像表示装置に搭載されているコントロール用ボタンもしくは外部装置のリモコン等による操作を行うことなく、デイジーチェーン出力のために用いられるＤｉｓｐｌａｙＰｏｒｔ−Ｏｕｔ端子におけるＨｏｔ−Ｐｌｕｇ−Ｄｅｔｅｃｔピンを用いて、伝送形式設定が変更されたことを検出することである。
【００５３】
すなわち、ＤｉｓｐｌａｙＰｏｒｔ制御部１０４は、ＤｉｓｐｌａｙＰｏｒｔ−Ｏｕｔ端子におけるＨｏｔ−Ｐｌｕｇ−Ｄｅｔｅｃｔピンの電圧を測定し、この測定した電圧が「Ｈ（ハイ）」レベルであるか「Ｌ（ロー）」レベルであるかの判定を行う。ここで、ＤｉｓｐｌａｙＰｏｒｔ制御部１０４は、測定電圧が「Ｈ」レベルである場合、他の画像表示装置がＤｉｓｐｌａｙＰｏｒｔ出力部１０５に対して後段としてデイジーチェーン接続されていると判定する。一方、ＤｉｓｐｌａｙＰｏｒｔ制御部１０４は、測定電圧が「Ｌ」レベルである場合、ＤｉｓｐｌａｙＰｏｒｔ出力部１０５に他の画像表示装置がデイジーチェーン接続されていないと判定する。
【００５４】
利用者が伝送形式設定を、「ＳＳＴ」から「ＭＳＴ」に切り替えたいタイミングは、「ＭＳＴ」によりマルチディスプレイの多画面を使用したい時であると考えられる。そのため、図２に示す様に、画像表示装置１に対して２台目の画像表示装置２が後段としてデイジーチェーン接続された場合、ＤｉｓｐｌａｙＰｏｒｔ制御部１０４は、ＤｉｓｐｌａｙＰｏｒｔ出力部１０５のＨｏｔ−Ｐｌｕｇ−Ｄｅｔｅｃｔピンの電圧が「Ｌ」レベルから「Ｈ」レベルに変化したことを検出する。そして、ＤｉｓｐｌａｙＰｏｒｔ制御部１０４は、上記Ｈｏｔ−Ｐｌｕｇ−Ｄｅｔｅｃｔピンの電圧が「Ｌ」レベルから「Ｈ」レベルに変化した検出結果を設定制御部１０８に対して出力する。これにより、設定制御部１０８は、第１の実施形態と同様に、伝送形式設定を「ＳＳＴ」から「ＭＳＴ」に設定を変更させ、伝送路設定をＰｉｎＡｓｓｉｎｇｍｅｎｔ  ＤからＰｉｎＡｓｓｉｎｇｍｅｎｔ  Ｃに変更させる。
【００５５】
一方、ＤｉｓｐｌａｙＰｏｒｔ制御部１０４は、画像表示装置１に対する画像表示装置２のデイジーチェーン接続が切断された、すなわち後段の他の画像表示装置１が外されたことを、Ｈｏｔ−Ｐｌｕｇ−Ｄｅｔｅｃｔピンの電圧が「Ｈ」レベルから「Ｌ」レベルに変化したことにより検出する。 すなわち、ＤｉｓｐｌａｙＰｏｒｔ制御部１０４は、ホットプラグ検知を行う。そして、ＤｉｓｐｌａｙＰｏｒｔ制御部１０４は、上記Ｈｏｔ−Ｐｌｕｇ−Ｄｅｔｅｃｔピンの電圧が「Ｈ」レベルから「Ｌ」レベルに変化した検出結果を設定制御部１０８に対して出力する。これにより、設定制御部１０８は、第１の実施形態と同様に、伝送形式設定を「ＭＳＴ」から「ＳＳＴ」に設定を変更させ、伝送路設定をＰｉｎＡｓｓｉｎｇｍｅｎｔ  ＣからＰｉｎＡｓｓｉｎｇｍｅｎｔ  Ｄに変更させる。
【００５６】
上述したように、第２の実施形態によれば、ＤｉｓｐｌａｙＰｏｒｔ制御部１０４がＤｉｓｐｌａｙＰｏｒｔ出力部１０５のＨｏｔ−Ｐｌｕｇ−Ｄｅｔｅｃｔピンの電圧を測定し、この測定電圧により伝送形式設定を「ＳＳＴ」または「ＭＳＴ」のいずれにするかを判定し、この判定した設定変更を設定制御部１０８に出力し、設定制御部１０８が伝送形式設定及び伝送路設定の各々を、第１の実施形態と同様に行うため、利用者が画像表示装置１に、後段として画像表示装置２をデイジーチェーン接続するか切断するかにより、伝送形式設定及び伝送路設定の各々が行われ、画像表示装置が伝送形式設定及び伝送路設定における利用者の負担を、第１の実施形態に比較してより低減することができる。
【００５７】
図４は、本発明の第２の実施形態の画像表示装置１における伝送形式設定と伝送路設定との制御を示す動作例を示すフローチャートである。以下、第１の実施形態と異なるステップＳ１０１ＡからステップＳ１０３Ａの各々を説明し、ステップＳ１０４からステップ１１１までは、第１の実施形態と同様な処理であるため、説明を省略する。
【００５８】
ステップＳ１０１Ａ：ＤｉｓｐｌａｙＰｏｒｔ制御部１０４は、ＤｉｓｐｌａｙＰｏｒｔ出力部１０５のＨｏｔ−Ｐｌｕｇ−Ｄｅｔｅｃｔピンの電圧を測定し、この測定電圧により伝送形式設定を「ＳＳＴ」または「ＭＳＴ」のいずれであるかを測定する。
そして、ＤｉｓｐｌａｙＰｏｒｔ制御部１０４は、測定電圧が「Ｌ」レベルの場合、伝送形式設定が「ＳＳＴ」であると判定し、一方、測定電圧が「Ｈ」レベルの場合、伝送形式設定が「ＭＳＴ」であると判定し、判定結果を自身内部の記憶部に書き込んで記憶する。
【００５９】
ステップＳ１０２Ａ：ＤｉｓｐｌａｙＰｏｒｔ制御部１０４は、ＤｉｓｐｌａｙＰｏｒｔ出力部１０５のＨｏｔ−Ｐｌｕｇ−Ｄｅｔｅｃｔピンの電圧が変化したか否かの判定を行う。このとき、設定制御部１０８は、Ｈｏｔ−Ｐｌｕｇ−Ｄｅｔｅｃｔピンの電圧が変化した場合、処理をステップＳ１０３Ａへ進める。一方、設定制御部１０８は、Ｈｏｔ−Ｐｌｕｇ−Ｄｅｔｅｃｔピンの電圧が変化していない場合、ステップＳ１０２Ａの処理を繰り返す。
【００６０】
ステップＳ１０３Ａ：ＤｉｓｐｌａｙＰｏｒｔ制御部１０４は、Ｈｏｔ−Ｐｌｕｇ−Ｄｅｔｅｃｔピンの電圧が「Ｌ」レベルから「Ｈ」レベルに変化した場合、伝送形式設定が「ＳＳＴ」から「ＭＳＴ」に変更されたことを示す制御信号を設定制御部１０８に出力する。また、ＤｉｓｐｌａｙＰｏｒｔ制御部１０４は、Ｈｏｔ−Ｐｌｕｇ−Ｄｅｔｅｃｔピンの電圧が「Ｈ」レベルから「Ｌ」レベルに変化した場合、伝送形式設定が「ＭＳＴ」から「ＳＳＴ」に変更されたことを示す制御信号を設定制御部１０８に出力する。
【００６１】
これにより、設定制御部１０８は、伝送形式設定が「ＳＳＴ」から「ＭＳＴ」に変更された場合、処理をステップＳ１０４へ進める。一方、設定制御部１０８は、伝送形式設定が「ＭＳＴ」から「ＳＳＴ」に変更された場合、処理をステップＳ１０８へ進める。
以降の処理は、第１の実施形態と同様である。
【００６２】
＜第３の実施形態＞
第３実施形態の画像表示装置の構成は、図１に示す第１の実施形態と同様である。以下、第３実施形態の画像表示装置においては、第１の実施形態の画像表示装置と異なる動作のみを説明する。
上述した第１実施形態及び第２実施形態のように、２台目を後段に接続した時点でＤｉｓｐｌａｙＰｏｒｔ信号の帯域が必ず足りなくなる場合、第１の実施形態及び第２の実施形態の各々で説明した構成により、この帯域の問題を解決することができる。しかしながら、第１の実施形態及び第２の実施形態の各々の解決法は、伝送形式設定を「ＳＳＴ」から「ＭＳＴ」に設定変更すると、画像信号を伝送するための伝送路の数が増加する。この結果、ＵＳＢ３．１信号を伝送していた伝送路がＤｉｓｐｌａｙＰｏｒｔ信号の伝送路に切り替わるため、ＵＳＢ３．１信号の通信がＵＳＢ２．０信号の通信に必ず切り替わってしまう。このため、利用者の視点では、ＵＳＢにおけるデータの伝送速度が低下するというデメリットが発生する。
【００６３】
したがって、画像表示装置１及び画像表示装置２の各々を表示するために求められるＤｉｓｐｌａｙＰｏｒｔ信号の画像伝送速度がそれぞれ４Ｇｂｐｓなど少ない場合、もしくは画像伝送速度の向上や画像データ量を圧縮などで、２画面の使用時では帯域不足にならない場合は、伝送形式設定が「ＳＳＴ」から「ＭＳＴ」に変化しても、伝送路設定を、ＰｉｎＡｓｓｉｇｎｍｅｎｔ  Ｃの設定に変えずに、ＰｉｎＡｓｓｉｇｎｍｅｎｔ  Ｄの設定を継続し続けた方が利用者の利便性の観点から望ましい。
【００６４】
そのため、第３の実施形態においては、伝送形式設定が「ＭＳＴ」に設定され、画像表示装置１に対して複数台の他の画像表示装置がデイジーチェーン接続されている場合、画像表示装置１の伝送路設定を、後段の画像表示装置に必要な画像伝送速度に応じて変更する構成となっている。
【００６５】
以下の説明においては、例えば、図６から図８の各々に示す様に、伝送形式設定が「ＭＳＴ」に設定されて、画像表示装置１に対して画像表示装置２及び画像表示装置３の各々がデイジーチェーン接続されている場合を用いる。図５、図６及び図７は、第３の実施形態を説明するための、画像表示装置のデイジーチェーンの構成例を示す図である。
【００６６】
図５は、伝送形式設定が「ＳＳＴ」に設定されている場合であり、画像表示装置１には他の画像表示装置がデイジーチェーン接続されていない。このため、伝送路設定は、４組の伝送路における２組（ＵＳＢ３．１ＳＳＴＸ１、ＵＳＢ３．１ＳＳＲＸ１）の伝送路がＵＳＢ３．１信号に割り当てられ、２組（ＤｉｓｐｌａｙＰｏｒｔＬａｎｅ０、ＤｉｓｐｌａｙＰｏｒｔＬａｎｅ１）の伝送路がＤｉｓｐｌａｙＰｏｒｔ信号に割り当てられている。
【００６７】
図６は、画像表示装置１に画像表示装置２がデイジーチェーン接続され、伝送形式設定が「ＭＳＴ」に設定されており、かつ画像表示装置１及び画像表示装置２の各々を表示するために求められるＤｉｓｐｌａｙＰｏｒｔ信号の画像伝送速度がそれぞれ４Ｇｂｐｓなど少ない場合を示している。このため、伝送路設定は、図５と同様に、４組の伝送路における２組（ＵＳＢ３．１ＳＳＴＸ１、ＵＳＢ３．１ＳＳＲＸ１）の伝送路がＵＳＢ３．１信号に割り当てられ、２組（ＤｉｓｐｌａｙＰｏｒｔＬａｎｅ０、ＤｉｓｐｌａｙＰｏｒｔＬａｎｅ１）の伝送路がＤｉｓｐｌａｙＰｏｒｔ信号に割り当てられている。
【００６８】
図７は、画像表示装置１に画像表示装置２及び画像表示装置３がデイジーチェーン接続され、伝送形式設定が「ＭＳＴ」に設定されており、かつ画像表示装置１、画像表示装置２及び画像表示装置の各々を表示するために求められるＤｉｓｐｌａｙＰｏｒｔ信号の画像伝送速度が、２組の伝送路では不十分となる場合を示している。このため、伝送路設定は、４組の伝送路の全て（ＤｉｓｐｌａｙＰｏｒｔＬａｎｅ０からＤｉｓｐｌａｙＰｏｒｔＬａｎｅ３）がＤｉｓｐｌａｙＰｏｒｔ信号に割り当てられている。
【００６９】
第３の実施形態によれば、ＵＳＢ−Ｔｙｐｅ−Ｃのケーブルが接続されている画像表示装置１において、ＤｉｓｐｌａｙＰｏｒｔ制御部１０４が、デイジーチェーン接続の２台目の画像表示装置２と、３台目の画像表示装置３で必要な映像伝送速度を、ＤｉｓｐｌａｙＰｏｒｔ出力部１０５のＡＵＸチャネルにより伝送されるＥＤＩＤデータに含まれる解像度情報と、ＤＰＣＤデータに含まれる伝送速度情報とを元に計算する。
【００７０】
そして、第３の実施形態においては、ＤｉｓｐｌａｙＰｏｒｔ制御部１０４が算出した画像伝送速度が、ＰｉｎＡｓｓｉｎｇｍｅｎｔ  Ｄの設定では足りないと判定された場合のみ、ＰｉｎＡｓｓｉｇｎｍｅｎｔ  Ｃの設定に切り替えている。これにより、第３の実施形態によれば、伝送形式設定が「ＭＳＴ」に設定されている場合においても、画像伝送速度が十分な場合、最適な映像表示とＵＳＢ３．１での接続とを実現し、画像伝送速度が不十分と判定された場合のみ、画像表示とＵＳＢ２．０でのデータ通信とに切り替わるという動作を可能とし、画像伝送速度が低下する場合を低減させ、利用者の利便性を向上させることできる。
【００７１】
図８は、本発明の第３の実施形態の画像表示装置１における伝送路設定とＤｉｓｐｌａｙＰｏｒｔ信号の伝送形式設定との制御を示す動作例を示すフローチャートである。以下、第１の実施形態と異なるステップＳ１０３Ｂ＿１からステップＳ１０３Ｂ＿６の各々を説明し、ステップＳ１０１及びステップＳ１０２と、ステップＳ１０４からステップ１１１までとは、第１の実施形態と同様な処理であるため、説明を省略する。
【００７２】
ステップＳ１０３Ｂ＿１：画像表示装置制御部１０８は、伝送形式設定が「ＳＳＴ」から「ＭＳＴ」に変更された場合、処理をステップＳ１０３Ｂ＿１へ進める。一方、画像表示装置制御部１０８は、伝送形式設定が「ＭＳＴ」から「ＳＳＴ」に変更された場合、処理をステップＳ１０８へ進める。
【００７３】
ステップＳ１０３Ｂ＿２：ＤｉｓｐｌａｙＰｏｒｔ制御部１０４は、ＤｉｓｐｌａｙＰｏｒｔ出力部１０５のＡＵＸチャネルにより伝送されるＥＤＩＤデータに含まれる解像度情報と、ＤＰＣＤデータに含まれる伝送速度情報とを読み込む。そして、ＤｉｓｐｌａｙＰｏｒｔ制御部１０４は、デイジーチェーン接続の２台目の画像表示装置２で必要な画像伝送速度を、読み込んだＥＤＩＤデータに含まれる解像度情報及びＤＰＣＤデータに含まれる伝送速度情報の各々を用いて求める。
【００７４】
ステップＳ１０３Ｂ＿３：ＤｉｓｐｌａｙＰｏｒｔ制御部１０４は、４組の伝送路のうち、２組（ＤｉｓｐｌａｙＰｏｒｔＬａｎｅ０、ＤｉｓｐｌａｙＰｏｒｔＬａｎｅ１）をＤｉｓｐｌａｙＰｏｒｔ信号に割り当てることで、求めた画像伝送速度に対して十分な伝送速度であるか否かの判定を行う。このとき、ＤｉｓｐｌａｙＰｏｒｔ制御部１０４は、４組の伝送路のうち２組の伝送路をＤｉｓｐｌａｙＰｏｒｔ信号に割り当てることで、求めた画像伝送速度に対して十分な伝送速度である場合、処理をステップＳ１０３Ｂ＿４へ進める。一方、ＤｉｓｐｌａｙＰｏｒｔ制御部１０４は、４組の伝送路のうち２組をＤｉｓｐｌａｙＰｏｒｔ信号に割り当てることで、求めた画像伝送速度に対して十分な伝送速度でない場合、処理をステップＳ１０４へ進める。
【００７５】
また、上述した実施形態の各々では、ＤｉｓｐｌａｙＰｏｒｔ  ａｌｔ  ｍｏｄｅ  ｏｎ  ＵＳＢ  Ｔｙｐｅ−Ｃの規格に基づく形態を用いて説明したが、これに限定されない。例えば、複数の伝送路を有する信号ケーブルを用いて、第１の信号および第２の信号を伝送する形態に適用できる。複数の伝送路は同じ伝送特性を有することが望ましい。
【００７６】
図９は、本発明の実施形態の概念を説明する図である。図９において、本発明の実施形態における画像表示装置１０は、信号入力部１１（ＵＳＢ−Ｔｙｐｅ−Ｃ入力部１０１）、伝送路制御部１２（ＤｉｓｐｌａｙＰｏｒｔ制御部１０４）、画像制御部１３（ＤｉｓｐｌａｙＰｏｒｔ制御部１０４）及び設定制御部１４（設定制御部１０８）の各々を備えている。
信号入力部１１は、外部装置（不図示）から、所定の伝送特性を有する複数の伝送路を有する信号ケーブルを用いて第１の信号（ＤｉｓｐｌａｙＰｏｒｔ信号）または第２の信号（ＵＳＢの規格に対応するＵＳＢ信号）が供給される。
伝送路制御部１２は、上記第１の信号を伝送する伝送路を、複数の伝送路の少なくとも一部に設定する伝送路設定に応じて、複数の伝送路を用いて供給された信号の供給先を変更する。
画像制御部１３は、伝送路制御部１２の設定した伝送路を用いて上記第１の信号を伝送する形式を示す伝送形式設定に応じて、伝送路を用いて供給された第１の信号から画像信号を生成する。
設定制御部１４は、所定の設定情報の変更に応じて、伝送路設定および伝送形式設定の各々を変更する。すなわち、ディスプレイポート信号の伝送形式設定を、「ＳＳＴ」または「ＭＳＴ」のいずれかとし、ＵＳＢ−Ｔｙｐｅ−Ｃにおける伝送路設定をＰｉｎＡｓｓｉｇｎｍｅｎｔ  ＤまたはＰｉｎＡｓｓｉｇｎｍｅｎｔ  Ｃのいずれかに切り替える。また、設定制御部１１は、伝送路設定および伝送形式設定の各々の設定変更の後、コンフィグレーションを行わせる命令を、画像表示装置に対して送信する。
【００７７】
これにより、マルチディスプレイを構成するデイジーチェーンにおける初段の画像表示装置のＤｉｓｐｌａｙＰｏｒｔ（ディスプレイポート）信号の伝送形式設定を、「ＳＳＴ」及び「ＭＳＴ」間の切り替え処理と、ＵＳＢ  Ｔｙｐｅ−ＣのＰｉｎＡｓｓｉｇｎｍｅｎｔ（ピンアサイメント）の設定、すなわち伝送路設定の再設定の処理に関する操作を容易に行え、利用者の負担を低減できる。
【００７８】
また、図１のマルチディスプレイにおける画像表示装置のＤｉｓｐｌａｙＰｏｒｔ（ディスプレイポート）信号の伝送形式設定を、「ＳＳＴ」から「ＭＳＴ」の設定の切り替えと、ＵＳＢ  Ｔｙｐｅ−ＣのＰｉｎＡｓｓｉｇｎｍｅｎｔ（ピンアサイメント）の設定、すなわち伝送路設定のの再設定との操作に関する処理を、画像表示装置における制御機能を実現するためのコントロールを外部コンピュータシステムによって行てもよい。なお、ここでいう「コンピュータシステム」とは、ＯＳや周辺機器等のハードウェアを含むものとする。
【００７９】
以上、この発明の実施形態を図面を参照して詳述してきたが、具体的な構成はこの実施形態に限られるものではなく、この発明の要旨を逸脱しない範囲の設計等も含まれる。
【産業上の利用可能性】
【００８０】
上述した画像表示装置及び画像表示方法は、画像送信装置からデイジーチェーン接続して構成されるマルチディスプレイにおける初段の画像表示装置（液晶ディスプレイ及びプロジェクターなど）におけるＤｉｓｐｌａｙＰｏｒｔ信号の伝送形式設定における「ＳＳＴ」及び「ＭＳＴ」間で設定を切り替える操作と、ＵＳＢ  Ｔｙｐｅ−Ｃの伝送路設定の再設定との操作とに関する処理を容易に行え、利用者に対する負担の低減を実現する上で有効となる。
【符号の説明】
【００８１】
１，１０…画像表示装置
１１…信号入力部
１２…伝送路制御部
１３…画像制御部
１４，１０８…設定制御部
１０１…ＵＳＢ−Ｔｙｐｅ−Ｃ入力部
１０２…ＵＳＢ−Ｔｙｐｅ−Ｃ制御部
１０３…信号接続部
１０４…ＤｉｓｐｌａｙＰｏｒｔ制御部
１０５…ＤｉｓｐｌａｙＰｏｒｔ出力部
１０６…映像処理部
１０７…映像表示部
１０９…ＵＳＢ３．１入力部
１１０…ＵＳＢ２．０入力部
１１１…ＵＳＢ−Ｈｕｂ
２００…ＵＳＢ−Ｄｅｖｉｃｅ
５００…画像送信装置
【図１】
2019163007.tif 000003
【図２】
2019163007.tif 000004
【図３】
2019163007.tif 000005
【図４】
2019163007.tif 000006
【図５】
2019163007.tif 000007
【図６】
2019163007.tif 000008
【図７】
2019163007.tif 000009
【図８】
2019163007.tif 000010
【図９】
2019163007.tif 000011
【国際調査報告】
2019163007.tif 000012
2019163007.tif 000013
2019163007.tif 000014
2019163007.tif 000015